(57)【要約】      （修正有）【課題】簡易な構成で断熱効果が高く、かつ優れたデザイン性を有する断熱容器を提供する。【解決手段】山折り線６と谷折り線とで交互に折り曲げたラベル４を外周にインモールドして断熱容器を成形する。断熱容器は、折り曲げたラベル４により容器側面に断熱効果をもたらすことができ、内容物の温度を長時間一定に保持し、かつ持つ手に内容物の温度が伝わらず扱いやすい容器２を提供できる。ラベルの山折り部分の一部が容器側方より外方に向けて突出するので、独自の形態、雰囲気を容器２の外観にもたらすことができる。折り曲げたラベルに印刷された画像により、所望の画像を側面に有する容器２を形成できる。容器２をインモールド射出成型により製造するので、少ない工数で簡易に製造できる。【選択図】図１
2005289440.tif 000002
【特許請求の範囲】
【請求項１】
山折り線と谷折り線とで交互に折り曲げたラベルを外周面にインモールドした断熱容器。
【請求項２】
各折り線の間隔を広狭交互に形成し、ラベルを鋸刃状に形成した請求項１に記載の断熱容器。
【請求項３】
各折り線を、容器側面の母線に対して傾斜させた請求項１または２に記載の断熱容器。
【請求項４】
各折り線を、容器側面の母線に対して平行に形成した請求項１または２に記載の断熱容器。
【請求項５】
各折り線を、容器側面の周方向に沿って形成した請求項１または２に記載の断熱容器。
【請求項６】
折り線で折り曲げたラベルの表面に所定の画像を形成した請求項１〜５のいずれか１項に記載の断熱容器。
【請求項７】
ラベルを、容器の高さ方向の一部分に設けた請求項１〜６のいずれか１項に記載の断熱容器。
【発明の詳細な説明】
【技術分野】
【０００１】
本発明は、鋸刃状に折り曲げたラベルを外周面にインモールドした樹脂製の断熱容器に関する。
【背景技術】
【０００２】
例えばぜんざいなどを収容し、容器ごと電子レンジで加熱して飲食するようにした樹脂製容器には、調理後加熱された内容物によって容器を持つ手が熱くならないようにするため、容器側面に放射状に突片を設けたものが知られている。
【０００３】
【特許文献１】特開平１０−２１８１５５号公報
【発明の開示】
【発明が解決しようとする課題】
【０００４】
しかしながら従来の断熱性カップは、樹脂製の突片を放射状に形成してあるため直接容器壁面に触れず断熱性は有するが、容器側面にラベルを貼り付けたり、容器表面に直接印刷することなどが困難であった。そこで従来は容器側面を熱収縮性のシュリンクシートで覆ったり、紙製の外箱に容器を収容するなどしていた。
【０００５】
したがって、容器の包装に手間と、コストがかかり、しかも容器の表面に印刷内容等を明瞭に表示させることができず、デザイン上の制約も有していた。
【０００６】
本発明は上記課題を解決し、簡易な構成で断熱効果が高く、かつ優れたデザイン性を有する断熱容器を提供することを目的とする。
【課題を解決するための手段】
【０００７】
本発明は上記課題を解決するため、次のように構成した。
【０００８】
山折り線と谷折り線とで交互に折り曲げたラベルを外周にインモールドして断熱容器を成形した。ラベルは紙、樹脂等容易に折り曲げ可能な材質であり、一部を重ねて順次一方の方向に進行するように山折り線と谷折り線とで交互に折り曲げる。山折り線と谷折り線との間隔を全て均一とすると、折り曲げた状態で平面状に延伸できないことから広狭交互にするなど間隔を適宜設定する。
【０００９】
折り線の配置、間隔等を適宜選択することにより各種の折り模様がラベルにより容器表面に形成される。例えば、容器側面の母線に対して所定角度折り線を傾斜させる。容器側面の母線に対して平行に折り線を設ける。容器側面の周方向に折り線を設ける。
【００１０】
山折り線を均等に形成せず、山折りの間隔に粗密の変化を持たせる。また複数の山折り線から一群の折り山を形成し、かかる一群の折り山を容器側面に分散して設ける。
【００１１】
折り曲げた状態で文字や画像が成立するようにラベル表面に印刷を施す。
【００１２】
容器の所定の箇所にラベルを設ける。
【発明の効果】
【００１３】
本発明の断熱容器は、折り曲げたラベルにより容器側面に断熱効果をもたらすことができ、内容物を保温し、持つ手に内容物の温度が伝わらない扱いやすい容器を提供できる。
【００１４】
ラベルの山折り部分の一部が容器側方より外方に向けて突出するので、独自の形態、雰囲気を容器の外観にもたらすことができる。
【００１５】
折り曲げたラベルに印刷された画像により、所望の画像を側面に有する容器を形成できる。
【００１６】
容器をインモールド射出成型により製造するので、少ない工数で製造できる。
【００１７】
ラベルの折りの状態を変更することにより、ラベルに形成される折り模様による独自の雰囲気を容器外観に付与できる。また部分的なラベルにおいても、独自の形態、雰囲気をもたらすことができる。
【発明を実施するための最良の形態】
【００１８】
図１に本発明にかかる断熱容器２（以下容器２とする。）を示す。容器２は円錐台状で、上方に開いており、上部に外方に延出された縁３を有し、外側面に、山折り線と谷折り線とで交互に折り曲げ鋸刃状に形成されたラベル４をインモールドした樹脂製の断熱容器である。容器２は、アルミ、樹脂、紙等からなる蓋（図示せず。）を縁３に密着させ、内部を密封できる。
【００１９】
ラベル４は、紙、あるいは樹脂など断熱性を有するシート状の部材からなり、図２に示すように概ね扇状である。ラベル４には、山折り線６と谷折り線８とが図２に示すように狭い間隔の箇所と広い間隔の箇所をもって交互にほぼ平行に設けられている。
【００２０】
ラベル４の外形、及び折り線間の間隔は、ラベル４を図３に示すように山折り線６と谷折り線８の各折り線に従って交互に折り曲げ、図４に示すように円筒状に丸めてラベル４の左右両端を合わせたとき、容器２の外形に一致するように設定されている。
【００２１】
したがって山折り線６と谷折り線８の広い方の間隔は平行でなく、上方に向けて間隔が広がるように形成してあり、展開したラベル４の外形、及び折り線間の広がりは、ラベル４の折り線の数、容器２の側面の傾斜角度、折り線が容器２の母線に対して傾斜する角度等に応じて決定される。
【００２２】
また、図３に示すように各折り線に従って折り曲げた状態で文字や図柄が成立するように、表面に予め印刷が施されている。
【００２３】
尚、少なくとも広狭の間隔のいずれか一方の間隔を平行でなく広げるようにすればよい。
【００２４】
容器２は、図４に示すように、折り線に従って折り曲げたラベル４の左右両端を合わせ、かかるラベル４をインモールド射出成型機に装填し、ラベル４の内周側から溶融樹脂を注入して成型する。
【００２５】
型内に注入された溶融樹脂は、ラベル４を金型内面に内側から押し付け、固化するので、ラベル４が外壁面に配置された樹脂製容器２が成形される。ラベル４は折り曲げた状態で内面側が樹脂で固着されているため、個々の折り山は容器２の外周面からあまり立ち上がることはなく、容器２の外周面の接線方向に山型の折り線６が突出したような容器２となる。
【００２６】
したがって容器２では、ラベル４が外表面にあるため容器２の内外間での熱の伝達が遮断され、容器２を持ったとき熱さや冷たさをあまり感じることがなく、かつ適度な保温性が得られる。
【００２７】
またラベル４が、山折り線６と谷折り線８で交互に折り曲げられていることにより、容器２は独特な外観、雰囲気を形成する。更にラベル４の表面には、図３に示すように折り曲げた状態で文字や図柄が成立するように予め印刷が施されているため、容器２の表面に所望の文字や図柄を表示できる。
【００２８】
図５に、ラベル４の折り山１０を、容器２の側面の母線に対して平行に形成した例を示す。各折り線は、容器２の側面の傾斜角に合わせて所定の広がり方に設定する。このようにしても独特の雰囲気と断熱効果をもたらすことができる。尚折り山１０の突出方向を一定の円周方向でなく、円周方向途中で折り山１０の突出方向を変更してもよい。
【００２９】
図６に、ラベル４の折り山１０を容器２の周方向に形成した例を示す。このように折り山１０をリング状に形成しても独特の概観、雰囲気が得られ、また充分な断熱効果が得られる。
【００３０】
図７に、ラベル４の折り山１０を部分的に形成した例を示す。これは、２〜３の山折り線６からなる折り山１０を一群とし、かかる折り山１０の群を容器２の外周に間隔をあけて形成した。このように折り山１０を均等な間隔で形成せず、部分的に折り山１０を形成してもよい。このとき容器２の中心を挟んで対向した部分に折り山１０を設けるなど、容器２を持ったとき手に触れ易い箇所に折り山１０を形成すると持ちやすい容器となり、好ましい。
【００３１】
尚折り山１０の突出方向は下向きでなく、上向きでもよい。また、ラベル４を容器２の外周面全面でなく、外周面の一部に設けてもよい。その場合、少なくとも周方向に連続していることが好ましい。
【図面の簡単な説明】
【００３２】
【図１】容器の一実施形態を示す部分断面図である。
【図２】ラベルを示す図である。
【図３】折り曲げたラベルを示す図である。
【図４】円筒状のラベルを示す図である。
【図５】容器の他の実施形態を示す斜視図である。
【図６】容器の他の実施形態を示す斜視図である。
【図７】容器の他の実施形態を示す斜視図である。
【符号の説明】
【００３３】
２    容器
３    縁部
４    ラベル
６    山折り線
８    谷折り線
１０  折り山
【図１】
2005289440.tif 000003
【図２】
2005289440.tif 000004
【図３】
2005289440.tif 000005
【図４】
2005289440.tif 000006
【図５】
2005289440.tif 000007
【図６】
2005289440.tif 000008
【図７】
2005289440.tif 000009